(57)【要約】【課題】極力少ない消費電力で、選局時間が短縮可能な放送受信装置を実現するための、放送装置および放送受信装置を提供する。【解決手段】放送装置１００は、サービスに含まれる映像データから分離されたＩフレームもしくはＩフレームを含む数フレームのデータにより生成された第１のストリームデータと、サービスに含まれる映像データのうち分離されたフレームのデータを除くデータから生成された第２のストリームデータと、に基づくブロードキャスト信号を送信する。放送受信装置１０１は、受信したブロードキャスト信号のうち、第１のストリームデータの受信を開始し、受信が開始された後にサービスの選局が行われた場合、受信された第１のストリームデータの映像データを表示部に表示する。【選択図】図１
2010177962.tif 000002
【特許請求の範囲】
【請求項１】
ブロードキャスト信号を送信する放送装置であって、
各サービスに含まれる映像データからＩフレームまたはＩフレームを含む数フレームのデータを分離して第１のストリームデータを生成するとともに、前記サービスに含まれる映像データのうち前記分離したフレームのデータを除くデータから第２のストリームデータを生成するように制御する制御部と、
前記第１のストリームデータと、前記第２のストリームデータと、に基づくブロードキャスト信号を送信する送信部と、
を備えた放送装置。
【請求項２】
ブロードキャスト信号を受信する放送受信装置であって、
各サービスに含まれる映像データから分離されたＩフレームまたはＩフレームを含む数フレームのデータにより生成された第１のストリームデータと、前記サービスに含まれる映像データのうち前記分離されたフレームのデータを除くデータから生成された第２のストリームデータと、に基づくブロードキャスト信号を受信する受信部と、
映像データを表示する表示部と、
前記第１のストリームデータおよび前記第２のストリームデータに基づき、サービスの映像データを前記表示部に表示するように制御する制御部と、を備え、
前記制御部は、前記ブロードキャスト信号のうち、前記第１のストリームデータの受信を開始し、該受信が開始された後にサービスの選局が行われた場合、前記受信された第１のストリームデータの映像データを前記表示部に表示するように制御することを特徴とする放送受信装置。
【請求項３】
請求項２に記載の放送受信装置において、
前記制御部は、前記ブロードキャスト信号のうち、前記表示部に表示されている映像データのサービス以外のサービスに係る第１のストリームデータの受信を開始し、該受信が開始された後にサービスの選局が行われた場合、前記受信した第１のストリームデータの映像データを前記表示部に表示するように制御することを特徴とする放送受信装置。
【発明の詳細な説明】
【技術分野】
【０００１】
本発明は、多チャンネルデジタル放送を送信する放送装置、およびその放送を受信する放送受信装置に関する。
【背景技術】
【０００２】
携帯端末向けの放送サービスとしてＭｅｄｉａＦＬＯ（登録商標）が知られている。ＭｅｄｉａＦＬＯとは、携帯端末向け多チャンネルデジタル放送サービスであり、移動体環境に適した技術によって、映像や音楽を配信するものである。ＭｅｄｉａＦＬＯのエアインターフェースはＦＬＯ（Forward Link Only）と呼ばれ、ＦＬＯの物理層には直交周波数分割多重（Orthogonal Frequency Division Multiplexing：ＯＦＤＭ）が採用される（非特許文献１参照）。
【０００３】
例えば、現在商用サービスを行っているアメリカのＭｅｄｉａＦＬＯの仕様を説明する。図１４は、ＦＬＯのインタレース構成を示す図である。ＦＬＯは６ＭＨｚの帯域幅を使用し、サブキャリアの本数は４０９６本である。この４０９６本のサブキャリアのうち、実際に使用するサブキャリアは、ガードサブキャリア９６本を除いた４０００本である。ＭｅｄｉａＦＬＯは、４０００本のサブキャリアを、８つのインタレースと呼ばれるグループに分割する。各インタレースは、４０００本のサブキャリアから８本おきに選択した５００本のサブキャリアから構成される。１つのインタレースはパイロットシンボルとして使用されるため、残りの７つのインタレースがデータ送信に使用される。ＭｅｄｉａＦＬＯでは、１つのインタレースを最小の単位として、周波数帯域に対するサービス（映像、音声、字幕など）の割り当てが行われる。
【０００４】
図１５は、インタレースに対するサービスの割り当て例を示す図である。縦軸のインタレースは周波数軸における分割を表し、横軸は時間軸の分割を表している。ＭｅｄｉａＦＬＯの各サービスは、ＭＬＣ（Multicast Logical Channel）と呼ばれる論理チャンネル上で運ばれる。ＭＬＣは、１つ以上のインタレースと、１つ以上のＯＦＤＭシンボルとから構成される。図１５の太線で囲まれた範囲はそれぞれ異なるＭＬＣを表すものであり、各ＭＬＣには、映像、音声および字幕などのデータが格納されている。例えば１つの映像と１つの音声とからなるサービス（番組）は、２つのＭＬＣから構成される。また、例えば図１５の斜線で示すＭＬＣのみで構成されるサービスを視聴するには、当該ＭＬＣを構成するインタレースおよびＯＦＤＭシンボルのみをデコードすれば良い。このように、ＭｅｄｉａＦＬＯでは、時間領域、周波数領域を細かく分割したサービスの割り当てが行われており、必要なＭＬＣのみを選択的にデコードする（間欠受信する）ことによって、受信装置の省電力化を図ることができる。なお、ＭｅｄｉａＦＬＯでは、１つのチューナでＭｅｄｉａＦＬＯデータ送信用のインタレースおよびＯＦＤＭシンボルにおいて配置された全てのＭＬＣを受信することができるため、さらに数多くのＭＬＣを同時にデコードし、複数のサービスを同時に視聴することも可能である。
【０００５】
また、ＭｅｄｉａＦＬＯでは図１６に示すようなスーパーフレーム（Super Frame）と呼ばれるデータ伝送単位によりデータの伝送を行う。１スーパーフレームの時間幅は約１秒でその中に１２００個のＯＦＤＭシンボルを含む。また、スーパーフレームは、ＴＤＭパイロット１チャンネル、ＴＤＭパイロット２チャンネル（以下、パイロットチャンネルという）および複数のデータフレーム等からなる。複数のデータフレームには、映像データとしてＩフレームまたはＰフレームが配置されている。ここで、スーパーフレーム内の先頭データフレームには、図１７に示すように、必ずＩフレームが配置されているわけではない。映像データのデコードは、Ｉフレームから始まる。
【０００６】
ＭｅｄｉａＦＬＯにおける選局フローは、以下のとおりである。まず、ユーザにより選局指示がされた後に、パイロットチャンネルの補足が行われる。次に、その補足したパイロットチャンネルに基づきスーパーフレームの補足が行われる。補足されたスーパーフレーム内に複数あるデータフレームを、先頭データフレームから検出し、データフレーム内にＩフレームが配置されていた場合、Ｉフレームのデコードを行い、デコードデータに基づき選局されたサービスを表示する。
【０００７】
なお、特許文献１には、デジタル放送の受信がユーザに選択されていない場合に、受信チャンネルごとの映像信号を映像信号メモリに少なくとも１フレーム格納し、デジタル放送番組の受信がユーザに選択された場合に、前記映像信号メモリに格納された映像信号を読み出してユーザに選択させる受信装置制御に関する技術が開示されている。
【先行技術文献】
【特許文献】
【０００８】
【特許文献１】特開２００４−１２８９４２号公報
【非特許文献】
【０００９】
【非特許文献１】日経エレクトロニクス、２００７年１２月１７日号、ｐ．１５０〜１６１、デジタル・テレビ・セミナー、第１回  ＭｅｄｉａＦＬＯ、「ワンセグと共存可能な移動体向け放送  ６ＭＨｚ幅に２０チャンネル強を収容」
【発明の概要】
【発明が解決しようとする課題】
【００１０】
上述したＭｅｄｉａＦＬＯは、選局に時間が掛かるという問題を抱えており、選局には約１．５秒の時間を要する。この問題は、スーパーフレームの単位時間幅が約１秒であるため、ユーザによる選局指示後の、パイロットチャンネルの補足に時間が掛かる場合があること、および、スーパーフレーム内に複数あるデータフレームにおける、先頭データフレームに必ずＩフレームのデータが配置されているわけではなく、Ｉフレームを検出するまでに時間が掛かる場合があること、に起因している。
したがって、選局時における実際の画面表示の切り替わりは図１８のようになり、選局したサービスの映像が表示されるまでは画面に何も表示されない。
また、特許文献１に開示された技術では、ユーザに選択されていないチャンネルごとの映像信号を映像信号メモリに少なくとも１フレーム格納する際に、Ｉフレームが受信できるまで受信しなければならないので、消費電力が大きくなる。
本発明は、このような問題点に鑑みてなされたものであり、本発明の目的は、極力少ない消費電力で、選局時間が短縮可能な放送受信装置を実現するための、放送装置および放送受信装置を提供することにある。
【課題を解決するための手段】
【００１１】
上記目的を達成するため、本発明は、ブロードキャスト信号を送信する放送装置であって、各サービスに含まれる映像データからＩフレームまたはＩフレームを含む数フレームのデータを分離して第１のストリームデータを生成するとともに、前記サービスに含まれる映像データのうち前記分離したフレームのデータを除くデータから第２のストリームデータを生成するように制御する制御部と、前記第１のストリームデータと、前記第２のストリームデータと、に基づくブロードキャスト信号を送信する送信部と、を備えたことを特徴とする。
【００１２】
また、本発明は、ブロードキャスト信号を受信する放送受信装置であって、各サービスに含まれる映像データから分離されたＩフレームまたはＩフレームを含む数フレームのデータにより生成された第１のストリームデータと、前記サービスに含まれる映像データのうち前記分離されたフレームのデータを除くデータから生成された第２のストリームデータと、に基づくブロードキャスト信号を受信する受信部と、映像データを表示する表示部と、前記第１のストリームデータおよび前記第２のストリームデータに基づき、サービスの映像データを前記表示部に表示するように制御する制御部と、を備え、前記制御部が、前記ブロードキャスト信号のうち、前記第１のストリームデータの受信を開始し、該受信が開始された後にサービスの選局が行われた場合、前記受信された第１のストリームデータの映像データを前記表示部に表示するように制御することを特徴とする。
【００１３】
また、前記放送受信装置において、前記制御部は、前記ブロードキャスト信号のうち、前記表示部に表示されている映像データのサービス以外のサービスに係る第１のストリームデータの受信を開始し、該受信が開始された後にサービスの選局が行われた場合、前記受信した第１のストリームデータの映像データを前記表示部に表示するように制御することが好ましい。
【発明の効果】
【００１４】
本発明による放送装置および放送受信装置によれば、放送装置が各サービスに含まれる映像データのうちＩフレームまたはＩフレームを含む数フレームのデータを分離して第１のストリームデータを生成するとともに、前記分離したフレームのデータを除くデータから第２のストリームデータを生成し、第１のストリームデータと第２のストリームデータに基づくブロードキャスト信号を送信し、放送受信装置が前記ブロードキャスト信号のうち、前記第１のストリームデータの受信を開始し、該受信が開始された後にサービスが選局された場合、前記第１のストリームデータの映像データを表示部に表示するため、選局を行った際に、映像データが表示されるまでの待ち時間を短くすることができる。また、放送受信装置は、選局時間を短縮するために、第１のストリームデータのみを予め受信しておけばよいので、極力少ない消費電力で選局時間を短縮することができる。
【図面の簡単な説明】
【００１５】
【図１】本発明の放送装置および放送受信装置を示す図である。
【図２】放送装置の構成例を示す図である。
【図３】放送受信装置の構成例を示す図である。
【図４】放送装置がサービスの映像データを生成してから送信するまでの動作を示すフローチャートである。
【図５】放送受信装置における第１実施の形態に係るザッピング処理のフローチャートである。
【図６】放送受信装置における第２実施の形態に係るザッピング処理のフローチャートである。
【図７】放送受信装置における第３実施の形態に係るザッピング処理のフローチャートである。
【図８】放送受信装置における第４実施の形態に係るザッピング処理のフローチャートである。
【図９】放送装置において別ＭＬＣが各スーパーフレーム中の先頭Ｉフレームのみの場合のメインＭＬＣと別ＭＬＣの生成方法を示す図である。
【図１０】放送装置において別ＭＬＣが各スーパーフレーム中の先頭Ｉフレームを含む数フレームの場合のメインＭＬＣと別ＭＬＣの生成方法を示す図である。
【図１１】放送装置におけるサブＭＬＣの生成方法を示す図である。
【図１２】本発明において別ＭＬＣが各スーパーフレームの先頭Ｉフレームのみの場合の放送受信装置における選局時の映像の切り替わりを示す図である。
【図１３】本発明において別ＭＬＣが各スーパーフレームの先頭Ｉフレームを含む数フレーム場合の放送受信装置における選局時の映像の切り替わりを示す図である。
【図１４】ＦＬＯのインタレース構成を示す図である。
【図１５】インタレースに対するサービスの割り当て例を示す図である。
【図１６】ＭｅｄｉａＦＬＯのスーパーフレーム（Super Frame）を示す図である。
【図１７】スーパーフレームにおける、あるサービスのＭＬＣの映像データの並びを示す図である。
【図１８】従来の映像表示の切り替わりを示す図である。
【発明を実施するための形態】
【００１６】
本発明の実施の形態について図面を参照して説明する。図１は、本発明の放送装置および放送受信装置を示す図である。放送受信装置１０１は、放送装置１００から送信されるブロードキャスト信号を受信し、各種データをデコードし、出力する。
【００１７】
図２は、図１に示す放送装置の構成例を示す図である。放送装置は、放送データ生成部２００と、多重化処理部２０４と、変調部２０５と、送信部２０６により構成されている。放送データ生成部２００は、サービス生成部２０１と、データ分離部２０２と、ストリーム生成部２０３により構成されている。
【００１８】
サービス生成部２０１は、放送する１つ以上のサービスのデータを生成する。データ分離部２０２は、各サービスの映像データから、例えば１秒毎に先頭のＩフレームもしくは先頭のＩフレームを含む数フレームのデータを分離する。ストリーム生成部２０３は、データ分離部２０２で分離したサービスのデータ（第１のストリームデータ）と、データ分離部２０２で分離した後に残ったサービスのデータ（第２のストリームデータ）を、それぞれ別ストリーム、メインストリームとして生成し直す。
多重化処理部２０４は、ストリーム生成部２０３で生成された複数のサービスの別ストリームを、必要があればまとめて１つのサブストリームとして多重化する。
変調部２０５は、ストリーム生成部２０３で生成されたストリームおよび多重化処理部２０４で多重化されたストリームをＯＦＤＭ信号に変調する。
送信部２０６は、ＯＦＤＭ信号を設定された値まで増幅し、送信アンテナから出力（ブロードキャスト信号の送信）する。このとき、メインストリーム、別ストリーム、サブストリームは、送信部２０６から、それぞれメインＭＬＣ、別ＭＬＣ、サブＭＬＣとして送信される。
【００１９】
図３は、図１に示す放送受信装置の構成例を示す図である。放送受信装置は、チューナ３００と、復調部３０１と、音声デコーダ部３０２と、音声出力部３０３と、映像デコーダ部３０４と、映像表示部３０５と、制御部３０６と、記憶部３１５と、操作部３２０により構成されている。
制御部３０６は、ザッピング判定部３０７と、映像データ統合部３０８と、受信ＭＬＣ制御部３０９と、別ＭＬＣ・サブＭＬＣデコードデータ表示制御部３１０と、サービス視聴継続時間計測部３１１と、サービス視聴継続時間判定部３１２と、受信別ＭＬＣ選択モード切替制御部３１３と、サブＭＬＣデータ分離部３１４により構成されている。
記憶部３１５は、別ＭＬＣ・サブＭＬＣ映像データ記憶部３１６と、サービス視聴継続時間記憶部３１７と、視聴モード記憶部３１８と、受信別ＭＬＣ記憶部３１９を備えている。
また、操作部３２０は、サービス選局操作部３２１と、ザッピングモード・通常視聴モード切替部３２２と、受信別ＭＬＣ選択モード切替部３２３により構成されている。
【００２０】
チューナ３００は、放送波を受信（ブロードキャスト信号の受信）する。復調部３０１は、チューナ３００が受信した放送波を復調し、必要なデータを取り出す。音声デコーダ部３０２は、視聴サービスの音声データをデコードする。音声出力部３０３は、音声デコーダ部３０２でデコードされた音声データを出力する。映像デコーダ部３０４は、視聴サービスの映像データをデコードする。映像表示部３０５は、映像デコーダ部３０４でデコードされた映像データを表示する。
【００２１】
ザッピング判定部３０７は、ザッピングが行われているか否かを判定する。映像データ統合部３０８は、メインＭＬＣ、別ＭＬＣ、またはメインＭＬＣおよびサブＭＬＣの映像データを統合する。受信ＭＬＣ制御部３０９は、受信するＭＬＣを制御する。別ＭＬＣ・サブＭＬＣデコードデータ表示制御部３１０は、ザッピングの際に選局したサービスの別ＭＬＣまたはサブＭＬＣのデコードデータを表示するように制御する。サービス視聴継続時間計測部３１１は、視聴中サービスの視聴継続時間を計測する。サービス視聴継続時間判定部３１２は、サービス視聴継続時間が視聴中サービス以外のサービスの別ＭＬＣの受信を停止する閾値を超えたか否かを判定する。受信別ＭＬＣ選択モード切替制御部３１３は、受信別ＭＬＣ選択モード（ザッピング開始時に受信中のサービス以外で受信する別ＭＬＣを選択するモード）への切替を制御する。サブＭＬＣデータ分離部３１４は、サブＭＬＣのデータをサービスごとのデータに分離する。
【００２２】
別ＭＬＣ・サブＭＬＣ映像データ記憶部３１６は、受信した別ＭＬＣおよびサブＭＬＣの映像データを記憶しておく。サービス視聴継続時間記憶部３１７は、サービスの視聴継続時間を記憶しておく。視聴モード記憶部３１８は、視聴モードとしてザッピングモード（１つ以上のサービスに対する別ＭＬＣを受信するモード）または通常視聴モード（別ＭＬＣの内、選局しているサービスの別ＭＬＣのみを受信するモード）を記憶しておく。受信別ＭＬＣ記憶部３１９は、受信別ＭＬＣ選択モードで選択された別ＭＬＣを記憶しておく。
【００２３】
サービス選局操作部３２１は、サービスの選局を行う。ザッピングモード・通常視聴モード切替部３２２は、ザッピングモードと通常視聴モードの切替を行う。受信別ＭＬＣ選択モード切替部３２３は、受信別ＭＬＣ選択モードと選局中のサービスを視聴するモードの切替を行う。
【００２４】
図４は、本発明の放送装置がサービスの映像データを生成してから送信するまでの動作を示すフローチャートである。
放送装置は、最初に、サービス生成部２０１により、送信する１つ以上のサービスのデータを生成する（Ｓ１０１）。次に、データ分離部２０２により、各サービスの映像データのストリームにおいて例えば１秒単位で先頭のＩフレームまたは先頭のＩフレームを含む数フレームのデータを分離する（Ｓ１０２）。更に、ストリーム生成部２０３により、残ったデータと分離したデータから、それぞれメインストリームと別ストリームを生成する（Ｓ１０３）。また、多重化処理部２０４により、必要があれば複数のサービスの別ストリームを１つのサブストリームとして多重化する（Ｓ１０４、Ｓ１０５）。その後、変調部２０５により、各ストリームをＯＦＤＭ信号に変調し（Ｓ１０６）、送信部２０６により、メインストリーム、別ストリーム、サブストリームをそれぞれメインＭＬＣ、別ＭＬＣ、サブＭＬＣとして送信する（Ｓ１０７）。
【００２５】
図５は、放送受信装置における第１実施の形態に係るザッピング処理のフローチャートである。第１実施の形態は、視聴継続時間が閾値を超えることを各サービスの別ＭＬＣ受信終了のトリガーとした場合の動作である。開始の時点では受信装置の電源が入っており、視聴アプリケーション起動中は、このフローチャートの処理を継続して行うものとする。
放送受信装置は、最初に、制御部３０６が、サービス選局操作部３２１によりサービスの選局処理が行われたか否かの判定を行う（Ｓ２０１）。サービスの選局処理が行われた場合（Ｙｅｓの場合）は、サービス視聴継続時間記憶部３１７を初期化する（Ｓ２０２）。次に、受信ＭＬＣ制御部３０９により、各サービスの別ＭＬＣが受信されている（表示部に表示されている映像データのサービス以外のサービスに係る第１のストリームデータの受信を開始している）か否かの判定を行う（Ｓ２０３）。各サービスの別ＭＬＣが受信されている場合（Ｙｅｓの場合）は、予め取得して別ＭＬＣ・サブＭＬＣ映像データ記憶部３１６に保存しておいた、選局したサービスの別ＭＬＣのデータを、別ＭＬＣ・サブＭＬＣデコードデータ表示制御部３１０の制御により、デコードしてデコードデータを映像表示部３０５に表示する（Ｓ２０４）。各サービスの別ＭＬＣが受信されていない場合（Ｎｏの場合）は、受信ＭＬＣ制御部３０９の制御により、各サービスの別ＭＬＣを受信し（表示部に表示されている映像データのサービス以外のサービスに係る第１のストリームデータの受信を開始し）（Ｓ２０５）、その後、選局したサービスのメインＭＬＣを受信する（Ｓ２０６）。その後、映像データ統合部３０８により、メインＭＬＣの映像データと別ＭＬＣの映像データを組み合わせて１つのサービスとしてデコードし（Ｓ２０７）、そして、そのサービスのデコードデータを映像表示部３０５に表示する（Ｓ２０８）。次に、サービス視聴継続時間計測部３１１において、サービス視聴開始後の視聴継続時間の計測を開始する（Ｓ２０９）。
【００２６】
サービス視聴継続時間の計測開始後、もしくはＳ２０１においてサービスの選局処理が行われなかった場合（Ｎｏの場合）、サービス視聴継続時間判定部３１２により、サービス視聴継続時間を計測中であるか否かの判定を行う（Ｓ２１０）。計測中でない場合（Ｎｏの場合）、アプリケーション起動中であれば、再度、サービスの選局処理の判定を行う（Ｓ２０１）。計測中である場合（Ｙｅｓの場合）は、サービス視聴継続時間判定部３１２により、視聴継続時間が閾値を超えたか否かの判定を行う（Ｓ２１１）。サービス視聴継続時間が閾値を超えていない場合（Ｎｏの場合）、再度、サービスの選局処理の判定を行う（Ｓ２０１）。サービス視聴継続時間が閾値を超えた場合（Ｙｅｓの場合）、ユーザは、選局したサービスを視聴し続ける可能性が高いので、ザッピングが終了したと判断して、省電力を図るため、受信ＭＬＣ制御部３０９の制御により、選局したサービス以外のサービスの別ＭＬＣの受信を停止し（Ｓ２１２）、サービス視聴継続時間の計測を停止する（Ｓ２１３）。アプリケーション起動中であれば、再度、サービスの選局処理の判定を行う（Ｓ２０１）。アプリケーション起動中でなければ、フローチャートの処理を終了する。
【００２７】
図６は、放送受信装置における第２実施の形態に係るザッピング処理のフローチャートである。第２実施の形態は、受信する別ＭＬＣを選択するモードを有している場合の動作である。開始の時点では受信装置の電源が入っており、視聴アプリケーション起動中は、このフローチャートの処理を継続して行うものとする。
放送受信装置は、最初に、制御部３０６が、サービス選局操作部３２１によりサービスの選局処理が行われたか否かの判定を行う（Ｓ３０１）。サービスの選局処理が行われた場合（Ｙｅｓの場合）は、受信ＭＬＣ制御部３０９により、選局したサービスの別ＭＬＣが受信されている（表示部に表示されている映像データのサービス以外のサービスに係る第１のストリームデータの受信を開始している）か否かの判定を行う（Ｓ３０２）。選局したサービスの別ＭＬＣを受信している場合（Ｙｅｓの場合）は、予め取得して別ＭＬＣ・サブＭＬＣ映像データ記憶部３１６に保存しておいた、当該サービスの別ＭＬＣのデータを、別ＭＬＣ・サブＭＬＣデコードデータ表示制御部３１０の制御により、デコードしてデコードデータを映像表示部３０５に表示する（Ｓ３０３）。デコードデータを表示してから、受信ＭＬＣ制御部３０９の制御により、選局したサービスのメインＭＬＣを受信する（Ｓ３０４）。
Ｓ３０２において、選局したサービスの別ＭＬＣを受信していない場合（Ｎｏの場合）は、受信ＭＬＣ制御部３０９の制御により、選局したサービスのメインＭＬＣと別ＭＬＣをともに受信する（Ｓ３０５）。その後、映像データ統合部３０８により、メインＭＬＣの映像データと別ＭＬＣの映像データを組み合わせて１つのサービスとしてデコードし（Ｓ３０６）、そして、そのデコードデータを映像表示部３０５に表示する（Ｓ３０７）。
【００２８】
サービスの選局処理に対するサービス表示処理後、もしくはＳ３０１においてサービスの選局処理が行われなかった場合（Ｎｏの場合）、受信ＭＬＣ制御部３０９により、受信別ＭＬＣ選択モード切替ボタン（受信別ＭＬＣ選択モード切替部３２３）が押下されたか否かの判定を行い（Ｓ３０８）、受信別ＭＬＣ選択モード切替ボタンが押下された場合（Ｙｅｓの場合）、映像表示部３０５が受信別ＭＬＣ選択モード画面であるか否かの判定を行う（Ｓ３０９）。受信別ＭＬＣ選択モード画面であれば（Ｙｅｓの場合）、受信別ＭＬＣ選択モード切替制御部３１３の制御により、映像表示部３０５を、選局しているサービスに切り替える（Ｓ３１０）。この場合は、ユーザが、現在のサービスを視聴し続ける可能性が高いので、省電力を図るため、選局しているサービス以外のサービスの別ＭＬＣの受信を停止する（Ｓ３１１）。
Ｓ３０９において、映像表示部３０５が受信別ＭＬＣ選択モード画面でなく、選局したサービスの映像であれば（Ｎｏの場合）、受信別ＭＬＣ選択モード切替制御部３１３の制御により、映像表示部３０５を、受信別ＭＬＣ選択モード画面に切り替える（Ｓ３１２）。次に、ユーザが受信する別ＭＬＣを選択すると、受信ＭＬＣ制御部３０９の制御により、選択した別ＭＬＣの受信を開始する（表示部に表示されている映像データのサービス以外のサービスに係る第１のストリームデータの受信を開始する）（Ｓ３１３）。
Ｓ３０８の受信別ＭＬＣ選択モード切替ボタンの押下判定において、ボタンが押下されなかった場合（Ｎｏの場合）、および、Ｓ３１１において別ＭＬＣの受信を停止した場合、アプリケーション起動中であれば、再度、サービスの選局処理の判定を行う（Ｓ３０１）。アプリケーション起動中でなければ、フローチャートの処理を終了する。
【００２９】
図７は、放送受信装置における第３実施の形態に係るザッピング処理のフローチャートである。第３実施の形態は、ザッピングモードと視聴モードを有する場合の動作である。なお、ザッピングモードでは、全てのサービスに対する別ＭＬＣを受信する（第１のストリームデータの受信を開始する）。開始の時点では受信装置の電源が入っており、視聴アプリケーション起動中は、このフローチャートの処理を継続して行うものとする。
放送受信装置は、最初に、制御部３０６が、サービス選局操作部３２１によりサービスの選局処理が行われたか否かの判定を行う（Ｓ４０１）。サービスの選局処理が行われた場合（Ｙｅｓの場合）は、ザッピング判定部３０７により、視聴モード記憶部３１８を参照して視聴モードがザッピングモードであるか否かの判定を行う（Ｓ４０２）。視聴モードがザッピングモードの場合（Ｙｅｓの場合）は、予め取得して別ＭＬＣ・サブＭＬＣ映像データ記憶部３１６に保存しておいた選局したサービスの別ＭＬＣデータを、別ＭＬＣ・サブＭＬＣデコードデータ表示制御部３１０の制御により、デコードしてデコードデータを映像表示部３０５に表示する（Ｓ４０３）。そして、受信ＭＬＣ制御部３０９の制御により、選局したサービスのメインＭＬＣを受信する（Ｓ４０４）。Ｓ４０２において、視聴モードがザッピングモードでなく、通常視聴モードである場合（Ｎｏの場合）は、受信ＭＬＣ制御部３０９の制御により、選局したサービスのメインＭＬＣと別ＭＬＣをともに受信する（Ｓ４０５）。
その後、映像データ統合部３０８により、メインＭＬＣの映像データと別ＭＬＣの映像データを組み合わせて１つのサービスとしてデコードし（Ｓ４０６）、サービスのデコードデータを映像表示部３０５に表示する（Ｓ４０７）。
【００３０】
サービスの選局処理があった場合のサービス表示処理後か、もしくはＳ４０１においてサービスの選局処理が行われなかった場合（Ｎｏの場合）、受信ＭＬＣ制御部３０９により、ザッピングモード切替ボタン（ザッピングモード通常視聴モード切替部３２２）が押下されたか否かの判定を行う（Ｓ４０８）。ザッピングモード切替ボタンが押下された場合（Ｙｅｓの場合）、ザッピング判定部３０７により、視聴モードがザッピングモードであるか否かの判定を行う（Ｓ４０９）。視聴モードがザッピングモードである場合（Ｙｅｓの場合）は、受信ＭＬＣ制御部３０９の制御により、通常視聴モードに切替え（Ｓ４１０）、選局しているサービス以外の別ＭＬＣの受信を停止する（Ｓ４１１）。Ｓ４０９において、通常視聴モードであれば（Ｎｏの場合）、受信ＭＬＣ制御部３０９の制御により、ザッピングモードに切替え（Ｓ４１２）、各サービスの別ＭＬＣを受信する（Ｓ４１３）。
ザッピングモード切替ボタンの押下に対する処理終了後、もしくはＳ４０８におけるザッピングモード切替ボタンの押下判定において、ボタンが押下されていないと判定された場合（Ｎｏの場合）、アプリケーション起動中であれば、再度、選局処理の判定を行う（Ｓ４０１）。アプリケーション起動中でなければ、フローチャートの処理を終了する。
【００３１】
図８は、放送受信装置における第４実施の形態に係るザッピング処理のフローチャートである。第４実施の形態は、放送装置が、各サービスの別ストリームをまとめて１つのサブストリームとし、サブストリームをサブＭＬＣとして送信した場合の動作である。なお、本実施の形態においては、常にサブＭＬＣを受信している（第１のストリームデータの受信を開始している）。開始の時点では受信装置の電源が入っており、視聴アプリケーション起動中は、このフローチャートの処理を繰り返すものとする。
放送受信装置は、最初に、受信ＭＬＣ制御部３０９が、サービス選局操作部３２１によりサービスの選局処理が行われたか否かの判定を行う（Ｓ５０１）。サービスの選局処理が行われた場合（Ｙｅｓの場合）は、サブＭＬＣデータ分離部３１４により、サブＭＬＣデータ中の選局したサービスのデータを分離し（Ｓ５０２）、次に、分離したデータをデコードし（Ｓ５０３）、デコードしたデータを映像表示部３０５に表示する（Ｓ５０４）。その後、受信ＭＬＣ制御部３０９の制御により、メインＭＬＣを受信し（Ｓ５０５）、映像データ統合部３０８により、メインＭＬＣの映像データとサブＭＬＣ中の選局したサービスの映像データとを組み合わせて１つのサービスとしてデコードし（Ｓ５０６）、そのデコードデータを映像表示部３０５に表示する（Ｓ５０７）。アプリケーション起動中であれば、再度、サービスの選局処理の判定を行う（Ｓ４０１）。アプリケーション起動中でなければ、フローチャートの処理を終了する。
【００３２】
図９は、本発明の放送装置において別ＭＬＣが各スーパーフレーム中の先頭Ｉフレームのみの場合のメインＭＬＣと別ＭＬＣの生成方法を示す図である。
サービス１の映像データを含むＭＬＣ１の別ＭＬＣは、各スーパーフレームにおけるＭＬＣ１の映像データの先頭Ｉフレームを分離して生成される。残ったＰフレームのデータがメインＭＬＣとなる。なお、分離したフレームの時系列は、デコードの際のデータの同期に重要になるので、分離後も分離前から変化させない。
【００３３】
図１０は、本発明の放送装置において別ＭＬＣが各スーパーフレーム中の先頭Ｉフレームを含む数フレームの場合のメインＭＬＣと別ＭＬＣの生成方法を示す図である。
別ＭＬＣに含まれる映像フレームデータが、各スーパーフレームにおける別ＭＬＣ生成の対象となるＭＬＣの映像データの先頭Ｉフレームを含む数フレームである点を除いて、図９と同様である。
【００３４】
図１１は、本発明の放送装置におけるサブＭＬＣの生成方法を示す図である。
ＭＬＣ１、ＭＬＣ２、ＭＬＣ３・・・の別ＭＬＣが存在するとして、図９、図１０の場合と同様、時系列を維持する必要があるので、これらの別ＭＬＣを時間領域において重畳し、サブＭＬＣを生成する。サブＭＬＣ中の映像データは、どのＭＬＣから分離されたものかという情報を有する。
【００３５】
図１２は、本発明において別ＭＬＣが各スーパーフレームの先頭Ｉフレームのみの場合の放送受信装置における選局時の映像の切り替わりを示す図である。
選局された際に、まず記憶部に保存されている、選局されたサービスの別ＭＬＣのデータをデコードしてＩフレーム１枚のデコードデータを表示し、メインＭＬＣと別ＭＬＣの映像データを組み合わせて１つのサービスとしてデコードされ次第、組み合わせデータの表示を行う。組み合わせデータが表示されるまでは、別ＭＬＣのＩフレーム１枚のデコードデータが静止画として表示されたままとなる。
【００３６】
図１３は、本発明において別ＭＬＣが各スーパーフレームの先頭Ｉフレームを含む数フレーム場合の放送受信装置における選局時の映像の切り替わりを示す図である。
選局された際に、まず記憶部に保存されている、選局されたサービスの別ＭＬＣのデータをデコードしてＩフレームから始まる数フレームを表示し、メインＭＬＣと別ＭＬＣの映像データを組み合わせて１つのサービスとしてデコードされ次第、組み合わせデータの表示を行う。組み合わせデータが表示されるまでは、別ＭＬＣのＩフレームから始まる数フレームの最後のフレームが静止画として表示されたままとなる。
【００３７】
上述したように、本発明による放送装置および放送受信装置は、放送装置が各サービスに含まれる映像データのうちＩフレームまたはＩフレームを含む数フレームのデータを分離して第１のストリームデータを生成するとともに、前記分離したフレームのデータを除くデータから第２のストリームデータを生成し、第１のストリームデータと第２のストリームデータに基づくブロードキャスト信号を送信し、放送受信装置が前記ブロードキャスト信号のうち、前記第１のストリームデータの受信を開始し、該受信が開始された後にサービスが選局された場合、前記第１のストリームデータの映像データを表示部に表示するため、選局を行った際に、映像データが表示されるまでの待ち時間を短くすることができる。また、放送受信装置は、選局時間を短縮するために、第１のストリームデータのみを予め受信しておけばよいので、極力少ない消費電力で選局時間を短縮することができる。
【符号の説明】
【００３８】
１００  放送装置
１０１  放送受信装置
２００  放送データ生成部
２０１  サービス生成部
２０２  データ分離部
２０３  ストリーム生成部
２０４  多重化処理部
２０５  変調部
２０６  送信部
３００  チューナ部
３０１  復調部
３０２  音声デコーダ部
３０３  音声出力部
３０４  映像デコーダ部
３０５  映像表示部
３０６  制御部
３０７  ザッピング判定部
３０８  映像データ統合部
３０９  受信ＭＬＣ制御部
３１０  別ＭＬＣ・サブＭＬＣデコードデータ表示制御部
３１１  サービス視聴継続時間計測部
３１２  サービス視聴継続時間判定部
３１３  受信別ＭＬＣ選択モード切替制御部
３１４  サブＭＬＣデータ分離部
３１５  記憶部
３１６  別ＭＬＣ・サブＭＬＣ映像データ記憶部
３１７  サービス視聴継続時間記憶部
３１８  視聴モード記憶部
３１９  受信別ＭＬＣ記憶部
３２０  操作部
３２１  サービス選局操作部
３２２  ザッピングモード・通常視聴モード切替部
３２３  受信別ＭＬＣ選択モード切替部
【図１】
2010177962.tif 000003
【図２】
2010177962.tif 000004
【図３】
2010177962.tif 000005
【図４】
2010177962.tif 000006
【図５】
2010177962.tif 000007
【図６】
2010177962.tif 000008
【図７】
2010177962.tif 000009
【図８】
2010177962.tif 000010
【図９】
2010177962.tif 000011
【図１０】
2010177962.tif 000012
【図１１】
2010177962.tif 000013
【図１２】
2010177962.tif 000014
【図１３】
2010177962.tif 000015
【図１４】
2010177962.tif 000016
【図１５】
2010177962.tif 000017
【図１６】
2010177962.tif 000018
【図１７】
2010177962.tif 000019
【図１８】
2010177962.tif 000020